【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
騒音源振動に起因する騒音が伝播する第一空間と、前記第一空間と境界面により分かたれた第二空間により構成され、前記境界面が前記騒音に起因する二次的振動を生じて第一空間から第二空間へと騒音を伝播させると共に、前記境界面の間隙を通じて騒音が漏れ伝わる空間において、
前記境界面の二次的振動に起因する騒音と前記境界面の間隙から漏れ伝わる漏洩騒音を合わせて検出する騒音検出手段と、
前記境界面の二次的振動に起因する騒音及び前記漏洩騒音に対して逆位相となる振動を発生する振動発生手段と、
前記騒音検出手段の出力の検出信号に対して逆位相となる信号を生成する信号処理手段と、
前記信号処理手段の出力信号が印加され前記振動発生手段を駆動する駆動制御手段を備え、
前記信号処理手段は、前記騒音検出手段の出力値が抑制されるように制御するため、前記逆位相となる信号を生成し、
前記信号処理手段が、
適応信号処理手段と、
前記適応信号処理手段の出力を入力とする演算手段と、
前記騒音検出手段で検出された騒音を表す信号と前記演算手段の出力との差分を求める減算手段とを備え、
前記適応信号処理手段は、前記騒音検出手段で検出された騒音を表す信号がゼロに近づくように、その伝達関数を自己適応させるものであり、
前記駆動制御手段は、前記適応信号処理手段の出力に基づいて前記振動発生手段を駆動し、
前記演算手段は、前記適応信号処理手段の出力側から、前記駆動制御手段、前記振動発生手段、及び前記騒音検出手段を含み、前記適応信号処理手段の入力側までの経路の伝達関数に近似した伝達関数を有する
ことを特徴とする能動型振動騒音制御装置。
【請求項２】
前記境界面が騒音源振動の固体伝播による二次的振動を含めて第一空間から第二空間へと騒音を伝播させる構成に対して、前記騒音検出手段の出力値が抑制されるように前記信号処理手段が制御を行なうことを特徴とする請求項１に記載の能動型振動騒音制御装置。
【請求項３】
前記騒音検出手段として狭指向性マイクロフォンを使用する構成としたことを特徴とする請求項１又は２に記載の能動型振動騒音制御装置。
【請求項４】
騒音源振動に起因する騒音が伝播する第一空間と、前記第一空間と境界面により分かたれた第二空間により構成され、前記境界面が前記騒音に起因する二次的振動を生じて第一空間から第二空間へと騒音を伝播させると共に、前記境界面の間隙を通じて騒音が漏れ伝わる空間において、
前記境界面の二次的振動を検出する二次振動検出手段と、
前記境界面の間隙から漏れ伝わる騒音を検出する漏洩騒音検出手段と、
前記境界面の二次的振動と逆位相となる振動及び前記漏洩騒音と逆位相となる振動とを合わせて発生する振動発生手段と、
前記二次振動検出手段から出力される振動検出信号に対して逆位相となる信号を生成する第１信号処理手段と、
前記漏洩騒音検出手段から出力される検出信号に対して逆位相となる信号を生成する第２信号処理手段と、
前記振動発生手段を駆動する駆動制御手段を備え、
前記第２信号処理手段は、前記漏洩騒音検出手段の出力値が抑制されるように制御するための制御信号を生成し、
前記第１信号処理手段は、前記二次振動検出手段の出力値から前記漏洩騒音を打消す為の振動成分を除いた値が抑制されるように制御するための制御信号を生成し、
前記駆動制御手段は、前記第１信号処理手段で生成される前記制御信号及び前記第２信号処理手段で生成され前記制御信号を合成した結果に基づいて前記信号発生手段を駆動する
ことを特徴とする能動型振動騒音制御装置。
【請求項５】
前記境界面が騒音源振動の固体伝播による二次的振動を含めて第一空間から第二空間へと騒音を伝播させる構成に対して、前記漏洩騒音検出手段の出力値が抑制されるように前記第２信号処理手段が制御を行うことを特徴とする請求項４に記載の能動型振動騒音制御装置。
【請求項６】
前記第１信号処理手段が、
第１適応信号処理手段と、
前記第１適応信号処理手段の出力を入力とする第１演算手段と、
第１減算手段とを備え、
前記第２信号処理手段が、
第２適応信号処理手段と、
前記第２適応信号処理手段の出力を入力とする第２演算手段と、
前記漏洩騒音検出手段で検出された騒音を表す信号と前記第２演算手段の出力との差分を求める第２減算手段とを備え、
第１減算手段は、前記二次振動検出で検出された騒音を表す信号から、前記第２適応信号処理手段の出力を引いた信号と前記第１演算手段の出力との差分を求め、
前記第１適応信号処理手段は、前記二次振動検出手段の出力値から前記漏洩騒音を打消す為の振動成分を除いた値がゼロに近づくように、その伝達関数を自己適応させるものであり、
前記第２適応信号処理手段は、前記漏洩騒音検出手段で検出された騒音を表す信号がゼロに近づくように、その伝達関数を自己適応させるものであり、
前記第１演算手段は、前記第１適応信号処理手段の出力側から、前記駆動制御手段、前記振動発生手段、及び前記漏洩騒音検出手段を含み、前記第１適応信号処理手段の入力側までの経路の伝達関数に近似した伝達関数を有し、
前記第２演算手段は、前記第２適応信号処理手段の出力側から、前記駆動制御手段、前記振動発生手段、及び前記漏洩騒音検出手段を含み、前記適応信号処理手段の入力側までの経路の伝達関数に近似した伝達関数を有する
ことを特徴とする請求項４又は５に記載の能動型振動騒音制御装置。
【請求項７】
前記漏洩騒音検出手段として狭指向性マイクロフォンを使用する構成としたことを特徴とする請求項４から６の何れかに記載の能動型振動騒音制御装置。
【請求項８】
前記二次振動検出手段として加速度センサを境界面に密着させて使用する構成としたことを特徴とする請求項４から７の何れかに記載の能動型振動騒音制御装置。
【請求項９】
前記二次振動検出手段としてマイクロフォンを境界面に密着させて使用する構成としたことを特徴とする請求項４から７の何れかに記載の能動型振動騒音制御装置。
【請求項１０】
前記振動発生手段としてアクチュエータを境界面に密着させて使用する構成としたことを特徴とする請求項１から９の何れかに記載の能動型振動騒音制御装置。
【手続補正２】
【補正対象書類名】明細書
【補正対象項目名】００１３
【補正方法】変更
【補正の内容】
【００１３】
本発明の能動型振動騒音制御装置は、
騒音源振動に起因する騒音が伝播する第一空間と、前記第一空間と境界面により分かたれた第二空間により構成され、前記境界面が前記騒音に起因する二次的振動を生じて第一空間から第二空間へと騒音を伝播させると共に、前記境界面の間隙を通じて騒音が漏れ伝わる空間において、
前記境界面の二次的振動に起因する騒音と前記境界面の間隙から漏れ伝わる漏洩騒音を合わせて検出する騒音検出手段と、
前記境界面の二次的振動に起因する騒音及び前記漏洩騒音に対して逆位相となる振動を発生する振動発生手段と、
前記騒音検出手段の出力の検出信号に対して逆位相となる信号を生成する信号処理手段と、
前記信号処理手段の出力信号が印加され前記振動発生手段を駆動する駆動制御手段を備え、
前記信号処理手段は、前記騒音検出手段の出力値が抑制されるように制御するため、前記逆位相となる信号を生成し、
前記信号処理手段が、
適応信号処理手段と、
前記適応信号処理手段の出力を入力とする演算手段と、
前記騒音検出手段で検出された騒音を表す信号と前記演算手段の出力との差分を求める減算手段とを備え、
前記適応信号処理手段は、前記騒音検出手段で検出された騒音を表す信号がゼロに近づくように、その伝達関数を自己適応させるものであり、
前記駆動制御手段は、前記適応信号処理手段の出力に基づいて前記振動発生手段を駆動し、
前記演算手段は、前記適応信号処理手段の出力側から、前記駆動制御手段、前記振動発生手段、及び前記騒音検出手段を含み、前記適応信号処理手段の入力側までの経路の伝達関数に近似した伝達関数を有する
ことを特徴とする。